(57)【要約】【課題】画質を落とすことなく、かつ、ズーム（拡大）機能のみならずワイド（広角）機能をも簡便に実現・付与する。【解決手段】カメラ２を備えた携帯端末機器であって、円板状に複数配置され指による手動で回転させる交換レンズ３Ａ〜３Ｄを備え、前記カメラ２の焦点距離を変化するように構成した。【選択図】    図１
2004208176.tif 000002
【特許請求の範囲】
【請求項１】
カメラを備えた携帯端末機器であって、
放射状に複数配置され指による手動又は自動で回転させる交換レンズを備え、前記カメラの焦点距離を変化するように構成したことを特徴とする携帯型端末機器。
【請求項２】
前記交換レンズは、モータによる動力を用いて回転させることを特徴とする請求項１に記載の携帯端末機器。
【請求項３】
カメラを備えた携帯端末機器であって、
前記カメラは、この焦点距離をスライド式の数種類のレンズを移動することにより変更するように構成したことを特徴とする携帯端末機器。
【請求項４】
上側筐体と下側筐体の折畳み構造を有するとともにカメラを備えた携帯端末機器であって、
前記上側筐体と下側筐体の一方に前記カメラを配置するとともに、他方の筐体の前記カメラと正対・対向する位置に前記カメラの焦点距離を変更させるレンズを配置し、
前記筐体を折畳んだ状態でのカメラ使用時には、前記筐体を開いた状態での使用時の前記カメラに内蔵されているレンズとともに前記他方の筐体に設けた前記レンズが付加されることにより、前記カメラの焦点距離を変更させるように構成したことを特徴とする携帯端末機器。
【請求項５】
カメラを有する筐体を備えた携帯端末機器であって、
前記カメラは、前記筐体の両面いずれの方向からも独立して撮影可能で、かつ、焦点距離の異なる撮影レンズを備え、
被写体の距離に応じて前記いずれかの撮影レンズで撮影を行うように構成したことを特徴とする携帯端末機器。
【発明の詳細な説明】
【０００１】
【発明が属する技術分野】
本発明は、カメラ機能を備えた主として携帯電話機などの携帯端末機器に関する。
【０００２】
【従来の技術】
近時、携帯電話機は、小型化、低価格化などとともに、例えば、通話以外に電子メールなどのやりとりやインターネットへのアクセスなどが可能な機能を備えたものが開発されて多機能化が図られており、これに伴って急速に普及が進んでいる。
【０００３】
また、最近の携帯電話機には、画像の記録伝送が可能なカメラを備えたタイプのものも提案され開発されている。そして、このカメラ付きの携帯電話機にあっては、電子的な手段により撮像素子の使用画素領域を可変することで、主にズーム機能を実現可能とするものが開発されてきている。
【０００４】
【発明が解決しようとする課題】
しかしながら、従来の電子的手段を用いたズーム機能は、構造上、ズーム使用時には画質が低下してしまうことが問題となっていた。
また、このカメラ付きの携帯電話機の中には、電子的な手段以外の方法を用いて使用画素領域を可変する構成として、例えば特開２００２−２４５２６６号公報に記載される構成のものも提案されている。しかしながら、この公報に記載のものは、専ら、パン、チルトの各動作を機械的な移動手段で行う構成であり、光学的な手段で（換言すれば、画質を落とすことなく）ズームを行わせる構成のものではない。
【０００５】
そこで、本発明は、上記した事情に鑑み、画質を落とすことなく、かつ、ズーム（拡大）機能、さらにはワイド（広角）機能をも簡便に実現・付与することができる携帯端末機器を提供することを目的としたものである。
【０００６】
【課題を解決するための手段】
本発明の携帯端末機器は、カメラを備えた携帯端末機器であって、
放射状に複数配置され指による手動又は自動で回転させる交換レンズを備え、前記カメラの焦点距離を変化するように構成したことを特徴としている。
【０００７】
これにより、カメラの撮像素子（C−MOSセンサ、ＣＣＤなど）の前に置かれたレンズを回転させることで焦点距離を切替えることができる。
【０００８】
また、この発明の携帯端末機器は、前記交換レンズは、モータによる動力を用いて回転させてもよい。
【０００９】
これにより、この焦点距離の切替動作を自動化することができる。
【００１０】
また、この発明の携帯端末機器は、カメラを備えた携帯端末機器であって、
前記カメラは、この焦点距離をスライド式の数種類のレンズを移動することにより変更するように構成することを特徴としている。
【００１１】
これにより、そのカメラの焦点距離をスライド式の数種類のレンズを移動することにより、切替えて変更することもできる。
【００１２】
また、この発明の携帯端末機器は、上側筐体と下側筐体の折り畳み構造を有するとともにカメラを備えた携帯端末機器であって、
前記上側筐体と下側筐体の一方に前記カメラを配置するとともに、他方の筐体の前記カメラと正対・対向する位置に前記カメラの焦点距離を変更するレンズを配置し、
前記筐体を折畳んだ状態でのカメラ使用時には、前記筐体を開いた状態での使用時の前記カメラに内蔵されているレンズとともに前記他方の筐体に設けた前記レンズが付加されることにより、前記カメラの焦点距離を変更させるように構成したことを特徴としている。
【００１３】
これにより、上側筐体と下側筐体が回動自在の折畳式の携帯電話機において、例えば筐体を開いた状態では、携帯電話機の使用者の顔にカメラが至近距離で対面することとなるので、至近距離で合焦するレンズを標準（又は広角）レンズとして設置することで、使用者の顔などを鮮明に撮影することができる。
一方、この筐体を閉じたときにカメラを設けた一方側の筐体とは反対側の筐体の前記カメラと正対する部分に、予め望遠（ズーム）レンズを設置してあれば、筐体を閉じた状態のままズーム機能を発揮して、遠方の風景や自分よりも遠い被写体を鮮明に撮影することができる。
【００１４】
また、この発明の携帯端末機器は、カメラを有する筐体を備えた携帯端末機器であって、
前記カメラは、前記筐体の両面いずれの方向からも独立して撮影可能で、かつ、焦点距離の異なる撮影レンズを備え、
被写体の距離に応じて前記いずれかの撮影レンズで撮影を行うように構成したことを特徴としている。
【００１５】
これにより、至近距離にある使用者の顔などを撮影する場合と、風景など遠方の被写体を撮影する場合とで、撮影方向を筐体の表裏いずれかの面に選択・切替えて向けることで、撮影レンズが使い分けられることになり、遠近いずれの被写体でも鮮明に撮影することができる。
【００１６】
【発明の実施の形態】
以下、本発明の実施の形態について、添付図面を参照しながら詳細に説明する。
［第１の実施形態］
図１は、本発明の第一の実施形態に係る携帯電話機を示すものであり、この携帯電話機は、筐体１に、カメラを構成する撮像素子部２と、複数のレンズ３Ａから３Ｄを具備した円板形状のレンズホルダ３とを設けている。なお、同図中、Ｌはカメラの光軸を示す。
【００１７】
筐体１には、表示部１１や操作部１２を設けた表面にカメラによる撮影のための開口孔１Ａを設けており、この開口孔１Ａにはカバーガラス１Ｂが取付けられている。
また、この筐体１には、カメラに使用するレンズとして現在どれを用いているのか外部で確認・表示するために、図示外の表示部を設けている。なお、この表示部の構造としては、表示部１１に電子的に表示してもよいし、レンズホルダ３のレンズ設置領域及び中心部を除く周縁部近傍の各レンズ付近に文字などを印字した印字部（図略）を設けるとともに、この印字部を筐体外側から覗く表示窓（図略）を設けた構成などとしてもよい。
【００１８】
撮像素子部２には、例えばC−MOSセンサ或いはＣＣＤなどが用いられており、撮像された画像データを電子的手段ではなく、光学的な手段でズーム及びワイドの各動作を行うように構成されている。
【００１９】
レンズホルダ３は、中心部に設けた回動中心となる回動軸３１と、この周辺部に等角的配置で設けた透孔３２に固設した焦点距離の異なる複数のレンズ３Ａ〜３Ｄとを具備しており、撮像素子部２の前側（撮影方向について前側；図１（Ａ）では手前側）に配置されている。
そして、このレンズホルダ３は、この一部を携帯電話機の筐体１の側面から一部突出させる状態で筐体１の内部に取付けられており、この突出した突出部３３を指で回動させることにより、撮影対象である被写体までの距離に応じて前記レンズを選択使用することで、カメラ（撮像素子部２）の焦点距離を可変する構造となっている。なお、これらのレンズ３Ａ〜３Ｄは、カメラ（撮像素子部２）に対してズーム（拡大）機能及びワイド（広角）機能を付与するため、各種のものが用いられている。
【００２０】
従って、この実施の形態によれば、筐体１の側面から突出した突出部３３を指などで回動操作し、被写体との距離や画角に応じて、４個のレンズ３Ａ〜３Ｄのうちいずれか最適なものを選択して撮影することができる。
【００２１】
［第２の実施形態］
以下、本発明の第２の実施形態について、図２を参照しながら説明する。なお、この実施形態において、先の第１の実施形態と同一部分には同一符号を付して重複説明を避ける。
この第２の実施の形態の携帯電話機が、第１の実施の形態の携帯電話機と異なる点は、第１の実施形態に於いてレンズホルダ３の回転操作を手動で行っていたのを、モータ４などの回動手段を使用することで自動化させた点である。
このため、この実施形態では、自動による焦点距離の変更が可能になる。しかも、指で回動操作するための突出部３３が筐体１から突出しなくて済むようになるので、誤操作の発生も防止できる。
【００２２】
［第３の実施形態］
以下、本発明の第３の実施形態について、図３を参照しながら説明する。なお、この実施形態において、先の第１の実施形態と同一部分には同一符号を付して重複説明を避ける。
この第３の実施の形態の携帯電話機が、第１の実施の形態の携帯電話機と異なる点は、第１の実施形態における円板形状のレンズホルダ３の替わりに、複数用意されたカード状のレンズホルダ５を移動させて焦点距離を可変する構造とした点である。
【００２３】
この実施形態のレンズホルダ５は、それぞれ薄いカード形状を呈する望遠用の第１のレンズホルダ５Ａ及び広角用の第２のレンズホルダ５Ｂで構成されており、上辺部分に指などで移動操作させるための操作片５１Ａ及び５１Ｂを設けている。この操作片５１Ａ及び５１Ｂには、それぞれのレンズホルダ５Ａ及び第２のレンズホルダ５Ｂに設けたレンズ３Ａ及び３Ｂの用途・種類（即ち、望遠用及び広角用がなど）が文字や記号などで記載されている。
【００２４】
また、この実施の形態では、筐体１の内部に設けたレンズホルダ５Ａ及びレンズホルダ５Ｂを選択的にカメラ（撮像素子部）２の光軸Ｌ上に進出させるときのスライド動作をガイドするためのガイド部材１Ｃを付設している。
【００２５】
［第４の実施形態］
以下、本発明の第２の実施形態について、図２を参照しながら説明する。なお、この実施形態において、先の第１の実施形態と同一部分には同一符号を付して重複説明を避ける。
この第４の実施の形態の携帯電話機は、上側筐体１Ｕと下側筐体１Ｄとこれらを回転自在に連結する連結部１Ｒとを有する折畳式のものである。この折畳式携帯電話機は、上部筐体側１Ｕにカメラモジュール６を設けているとともに、下部筐体１Ｄには上側筐体１Ｕと下側筐体１Ｄを折畳み状態にしたときにカメラモジュール６と対向・正対する位置に焦点距離を可変するためのレンズ７を配置している。
【００２６】
このカメラモジュール６には、この折畳式携帯電話機の下側筐体１Ｄなどを手などで把持する操作者自身を撮影するため、換言すれば、至近距離にある被写体を撮影するために、広角レンズを標準的に装備しており、後述するレンズ７を付加して撮影する場合に比べると、画角が拡大する構成となっている。
【００２７】
このレンズ７は、下部筐体１Ｄを貫通して設けたレンズ孔に設置した構成のものであり、上部筐体１Ｕに置かれたカメラモジュール６に対し、焦点距離を可変させる働きを持つズーム機能を有する構成となっている。なお、このレンズ７としては、焦点距離が不変の望遠レンズなどで構成してもよい。
【００２８】
従って、この第４の実施の形態によれば、上側筐体１Ｕと下部筐体１Ｄが回動自在の折畳式の携帯電話機において、例えば図４（Ａ）及び（Ｂ）に示すように、筐体を開いた状態では、携帯電話機の使用者の顔にカメラモジュール６が対面する状態で撮影することができる。即ち、この筐体を開いた状態では、至近距離で合焦するレンズ（又は広角レンズ）を設けているので、使用者が手で下側筐体１Ｄを把持しながら自分自身の顔などを鮮明に撮影することができる。
【００２９】
一方、同図（Ｃ）に示すように、この筐体を閉じたときに、カメラモジュール６を設けた上側筐体１Ｕとは反対側の下側筐体１Ｄのカメラモジュール６と正対する部位に、望遠（ズーム）レンズを設置してある。従って、筐体を閉じた状態のまま、カメラモジュール６及びレンズ７の双方のレンズを介して遠方の被写体を撮影する場合、ズーム機能を発揮して、その遠方の風景や自分よりも遠い場所などにいる被写体を鮮明に撮影することができる。
【００３０】
［第５の実施形態］
以下、本発明の第５の実施形態について、図５を参照しながら説明する。なお、この実施形態において、先の第１の実施形態と同一部分には同一符号を付して重複説明を避ける。
この第５の実施の形態の携帯電話機が、第１の実施の形態の携帯電話機と異なる点は、第１の実施形態における円板形状のレンズホルダ３上の複数種類のレンズの替わりに、互いに異なる２種類のレンズ８Ａ，８Ｂをそれぞれ設けた１対のカメラを互いに背中面で一体化させた構成となっている。
【００３１】
レンズ８Ａは、筐体１を自分自身で把持しながら至近距離にある自分自身を撮像することができる焦点距離が短く、画角の広い広角レンズを用いており、筐体１の表示部１１や操作部１２のある表面に向けて設置されている。
【００３２】
一方、レンズ８Ｂは、比較的遠方の風景その他の被写体を撮像させるために、焦点距離の長い望遠（ズーム）レンズ１０を用いており、筐体１の表面とは逆の裏面に向けて設置されている。
【００３３】
従って、撮影対象に応じて、即ち、被写体に対して筐体を表裏いずれかの面に向けて撮影することで、広角（ワイド）或いは望遠（ズーム）機能を使い分けて撮影することができる。
【００３４】
なお、第１の実施の形態から第３の実施の形態に関しては、カメラとして２種類以上複数の焦点距離を有する２種類以上のレンズを備えることが可能となる。一方、第４の実施の形態４および第５の実施の形態に関しては、２種類の焦点距離を有する２種類のレンズを備えることが可能となる。
【００３５】
【発明の効果】
以上、記述したように本発明によれば、携帯端末機器に備えるカメラについて、ズーム機能及び画角の変更・切替機能を光学的手段で実現できるので、電子的手段で撮像素子の画素領域を制限することによるズーム機能や画角変更機能に比べ、画質を損なうことがなく、しかもこれらの機能を簡便に実現・付与することが可能となる。
【図面の簡単な説明】
【図１】本発明の第１の実施の形態に係る携帯電話機を示すものであり、（Ａ）は斜視図、（Ｂ）は要部断面図、（Ｃ）は本発明に係るレンズホルダを示す平面図である。
【図２】本発明の第２の実施の形態に係る携帯電話機を示すものであり、（Ａ）は斜視図、（Ｂ）は要部断面図である。
【図３】本発明の第３の実施の形態に係る携帯電話機を示すものであり、（Ａ）は斜視図、（Ｂ）は要部断面図である。
【図４】本発明の第４の実施の形態に係る携帯電話機を示すものであり、（Ａ）は斜視図、（Ｂ）は筐体を開いた状態を示す側面図、（Ｃ）は筐体を閉じた状態を示す側面図である。
【図５】本発明の第５の実施の形態に係る携帯電話機を示すものであり、（Ａ）は概略断面図、（Ｂ）は筐体内部に設置するカメラモジュールなどを示す斜視図である。
【符号の説明】
１      （携帯電話の）筐体
２      撮像素子（カメラ）
３      レンズホルダ
３Ａ〜３Ｄ
レンズ
４    モータ（回転手段）
５    （カード状の）レンズホルダ
６    カメラモジュール
７    レンズ
８    カメラモジュール
８Ａ  望遠レンズ
８Ｂ  広角レンズ
Ｌ    光軸
【図１】
2004208176.tif 000003
【図２】
2004208176.tif 000004
【図３】
2004208176.tif 000005
【図４】
2004208176.tif 000006
【図５】
2004208176.tif 000007